(57)【要約】【目的】  駅前等の屋外広場のバス停留所に方形状の広告等を設置する。該広告塔は、遠方より視認可能な大型とし、該広告塔には、表裏面に映像表示装置であるディスプレイを装設し、その他、バス発車時刻表板、フイルム等よりなる広告板を装設したものである。【構成】  広告塔本体には、上部よりバス路線表示板、ディスプレイ、発車時刻表板及び各種の広告板を着脱自在に装設し、且つ、最上面に発電用の太陽光発電パネルを装設し、内部には、上部よりウェブカメラ、スピーカー、映像及び音声を受信することが可能なパーソナルコンピューター、携帯電話及び情報専用受信機等の受信機並びに照明器具を装設し、下方には、バッテリー及び電気差込口を収納装設したことを特徴としている。【選択図】図１
2010156935.tif 000002
【特許請求の範囲】
【請求項１】
立体的よりなる広告塔本体（１）は、略方形状より形成され、該広告塔本体（１）には、表裏の上部よりバス路線表示板（２）と映像表示板であるディスプレイ（３）及び発車時刻表板（４）とを配置し、且つ該広告塔本体（１）には、基礎安定板（６）を敷設した事を特徴とするバス停情報案内及び広告塔。
【請求項２】
請求項１における該バス路線表示板（２）の下部及び側面に透明性を有する合成樹脂よりなる取り換え自在の広告板（５）を装設した事を特徴とする請求項１よりなるバス停情報案内及び広告塔。
【請求項３】
該広告塔本体（１）には、最上面に太陽光発電パネル（８）を装設した事を特徴とする請求項１及び請求項２よりなるバス停情報案内及び広告塔。
【請求項４】
広告等本体（１）には、内部の上部より、スピーカー（１２）、映像及び音声を受信することが可能なパーソナルコンピューター、携帯電話及び情報専用受信機等の受信機（９）及び照明器具（１０）を収納装設し、且つ該広告塔本体（１）の上部には防犯用のウェブカメラ（１４）を装設し、下方には、バッテリー（１１）及び電気差込口（１３）を収納装設した事を特徴とする請求項１，２又は３記載のバス停情報案内及び広告塔。
【発明の詳細な説明】
【技術分野】
【０００１】  本発明は、駅前等の広場におけるバスの停留所に方形状で大型の広告塔を設置するものであって、上部よりバス路線表示板、映像表示装置であるディスプレイ、バス発車時刻表板及び広告等を装設し、且つ上端に発電用の太陽光パネルを装設した事を特徴とするバス停広告等に関するものである。
【背景技術】
【０００２】  従来この種のバス停留所におけるバス案内板は、バスの時刻表を主体として作成され、従って、案内板の時刻表も小さく夜間等では視認が不便であると共に、バスの案内板も小型化されている現状である。又、案内板には、広告等が有効に配慮されてなく、照明等も施されてなく、防犯の観点からも大変に不便であるという問題点もある。
【発明の開示】
【発明が解決しようとする課題】
【０００３】  従来この種のバス停の案内板の上記の問題点を解決するもので、その目的とする所は、大型で安定設置型で遠方より視認できると共に、時刻表より広告の面積を大きくする。又、広告等の役目を充分に果たし、且つ、広告塔本体の内部には、スピーカー、映像及び音声を受信することが可能なパーソナルコンピューター、携帯電話及び情報専用受信機等の受信機、ウェブカメラ及び照明器具を装設して防犯にも役立つものとするものである。
そして、特に該広告塔本体の最上部に太陽光発電パネルを装設して、太陽光発電と通常電気の２種の電気を使用して、内部よりの照明により時刻表及び広告板の視認を容易にすると共に夜間の防犯灯をも兼ねることができるものとしたものである。
【課題を解決するための手段】
【０００４】  上記目的を達成するために、本発明は、方形状よりなる広告塔本体には、表裏の上部より、バス路線表示板、映像表示装置であるディスプレイ及び発車時刻表板と、その下部及び側面に透明な合成樹脂よりなる取り換え自在の広告板を装設する。
又、該広告塔本体には、最上部に発電用の太陽光発電パネルを装設する。
更に、該広告塔本体の内部には、上部より、スピーカー、映像及び音声を受信することが可能なパーソナルコンピューター、携帯電話及び情報専用受信機等の受信機、ウェブカメラ並びに照明器具を装設収納すると共に、その下方には、バッテリー、電気差込口等を装設収納するものである。
【発明の効果】
【０００５】  本発明は、上記の如く構成されているので、方形状で設置型であるので、従来のものより非常に安定が良好で、且つ、高さ及び横幅等が大きく形成できるので、時刻表及び広告面を著しく視認しやすくなる効果がある。
更に、広告塔本体の表裏及び側面に設けた透明な合成樹脂のバス発車時刻表板及び広告板は、取替自在のため大変に便利である効果と、内部のＬＥＤ照明により夜間等の視認が容易になると共に、夜間における防犯灯になる役目を果たす効果もある。上記の他にウェブカメラを本体上部に取り付けて、防犯に役立つようにする効果もある。
又、広告塔本体の上部に設けた太陽光発電パネルによっては、電気は太陽光発電のみでも使用できることもあり、通常電気を著しく節電ができＣＯ２削減にも貢献できる効果がある。
そして、広告塔本体には、内部にスピーカー、映像表示装置であるディスプレイ並びに照明器具やバッテリー等が、十分に収納でき便利であると共に、有線及び無線の２種類にて配信ができ、動画等による広告配信は非常に視認効果が高く広告効果を著しく向上できる事のみならず地域情報、台風や地震などの緊急公報情報をも配信ができ、バス利用者の安全にも配慮した効果もある。
【発明を実施するための最良の形態】
【０００６】  次に、本発明の実施用法を説明すると、広告塔本体を駅前の広場のバス停留所に固定設置する。表裏の時刻表板を除くその他のスペースは、全て広告の役目を果たすと共に、透明な合成樹脂類で作成した広告板は、差し替え自在に構成される。
又、表裏のバス発車時刻表板及び各種の広告板及び側面の広告板を内部のＬＥＤ等の照明器具によって照らすため、夜間でも充分に表示が視認でき、夜間の防犯灯にもなる。
そして、内部のディスプレイ及び音声を無線と有線の２種類で受信可能な受信機の設置により、無線及び有線を利用したインターネット配信により映像や音声を利用して広告をすることができる他に、地域情報、台風や地震などの緊急公報情報をも配信を実施することができるものである。
上記の他に本体上部にウェブカメラを取り付け、防犯にも役立つものとした。
【実施例】
【０００７】  次に、本発明の実施例を図面について下記のとおり説明する。
図１、図２において、広告塔本体（１）には、外枠を金属の堅牢なものとし、外壁強化プラスチック等の透明で堅牢にして雨漏洩のない構造とし、表裏面には、上部よりバス路線表示板（２）を装設し、該バス路線表示板（２）の下部に映像表示装置であるディスプレイ（３）を装設する。該ディスプレイ（３）の下部には、バス発着の発車時刻表板（４）、透視性の高いフイルム等よりなる広告板（５）を装設する。該広告塔本体（１）には、下端に支柱（７）等を設けた鉄板等の基礎安定板（６）を一体に形成してある。
図３に示す実施例では、該バス発車時刻表板（４）の下部及び側面には、着脱が自在で容易にできる広告用ポスター等の透視性の高いフイルム等よりなる広告板（５）を装設したものである。
図４、図５に示す実施例では、図１と図２との該広告塔本体（１）の最上部に太陽光発電パネル（８）を装設し、発生した電力は内部に設けたバッテリー（１１）に一旦蓄電するものである。
図６に示す実施例では、該広告塔本体（１）の内部に開示した縦断側面であって、内部の上部よりスピーカー（１２）及び映像及び音声を受信することが可能なパーソナルコンピューター、携帯電話及び情報専用受信機等の受信機（９）を収納配置する。又、該広告塔本体（１）には、内部に照明器具（１０）と、下部にはバッテリー（１１）と電気差込口（１３）及びウェブカメラ（１４）を収納装設した構成となっている。
【図面の簡単な説明】
【０００８】
【図１】  本発明の広告塔本体の全体斜面図である。
【図２】  本発明の広告塔本体の正面図である。
【図３】  本発明の広告板を装設した正面図である。
【図４】  本発明の広告塔本体の上部に太陽光発電パネルを装設した正面図である。
【図５】  本発明の広告板を装設した広告塔本体の上部に太陽光発電パネルを装設した正面図である。
【図６】  本発明の広告等本体の内部を開示した縦断側面図である。
【符号の説明】１    広告塔本体
２    バス路線表示板
３    映像表示装置であるディスプレイ
４    バス発車時刻表板
５    広告板
６    基礎安定板
７    支柱
８    太陽光発電パネル
９    映像及び音声を受信することが可能なパーソナルコンピューター、携帯電話及び情      報専用受信機等の受信機
１０  照明器具
１１  バッテリー
１２  スピーカー
１３  電気差込口
１４  ウェブカメラ
【図１】
2010156935.tif 000003
【図２】
2010156935.tif 000004
【図３】
2010156935.tif 000005
【図４】
2010156935.tif 000006
【図５】
2010156935.tif 000007
【図６】
2010156935.tif 000008